(57)【特許請求の範囲】
【請求項１】
原稿台上に載置された原稿を押圧する圧板と、
前記原稿台上の原稿の画像を読み取る読取手段と、
画像を表すデータを受信する受信手段と、
前記読取手段で読み取った画像及び前記受信手段で受信したデータに基づく画像の記録を行う記録手段と、
前記圧板の開閉を検知する検知手段と、
前記読取手段で読み取った画像に基づく画像を前記記録手段により記録する第１のモードと前記受信手段で受信したデータに基づく画像を前記記録手段により記録する第２のモードとを切り替える切替手段とを有し、
前記切替手段は前記第１のモードが設定されているときに前記受信手段によりデータを受信した場合、前記検知手段で前記圧板が閉じられたことを検知してから所定時間経過していれば前記第２のモードに切り替えることを特徴とする画像処理装置。
【請求項２】
前記切替手段は、前記第１のモードが設定されているときに前記受信手段によりデータを受信した場合、前記検知手段で前記圧板が開けられていると検知すると前記第２のモードへ切り替えないことを特徴とする請求項１に記載の画像処理装置。
【請求項３】
前記切替手段は、前記第１のモードが設定されているときに前記受信手段によりデータを受信した場合、前記第１のモードによる処理を実行中であれば前記第２のモードへ切り替えないことを特徴とする請求項１または２に記載の画像処理装置。
【請求項４】
原稿の画像を読み取る読取手段と、
画像を表すデータを受信する受信手段と、
前記読取手段で読み取った画像及び前記受信手段で受信したデータに基づく画像の記録を行う記録手段と、
前記読取手段で読み取った画像に基づく画像を前記記録手段により記録する第１のモードと前記受信手段で受信したデータに基づく画像を前記記録手段により記録する第２のモードとを切り替える切替手段と、
前記第１のモードが設定されているときに前記受信手段によりデータを受信した場合、前記記録手段により該データに基づく画像の記録を行ってもよいかどうかをオペレータに問い合わせる確認手段とを有し、
前記切替手段は、前記確認手段による問い合わせに対し、許可を示す指示があった場合に前記第２のモードに切り替えることを特徴とする画像処理装置。
【請求項５】
前記切替手段は、前記確認手段による問い合わせに対し、不許可を示す指示があった場合は前記第２のモードに切り替えず、前記確認手段は該不許可の指示があってから所定時間経過後に再び前記問い合わせを行うことを特徴とする請求項４に記載の画像処理装置。
【請求項６】
前記切替手段は、前記確認手段による問い合わせに対し、所定時間経過しても指示がなければ前記第２のモードに切り替えることを特徴とする請求項４または５に記載の画像処理装置。
【請求項７】
原稿台上に載置された原稿を押圧する圧板と、
前記原稿台上の原稿の画像を読み取る読取手段と、
画像を表すデータを受信する受信手段と、
前記読取手段で読み取った画像及び前記受信手段で受信したデータに基づく画像の記録を行う記録手段と、
前記圧板の開閉を検知する検知手段と、
前記検知手段で前記圧板が開いていることを検知している場合、前記受信手段で受信したデータに基づく画像の前記記録手段による記録を禁止するよう制御する制御手段とを有することを特徴とする画像処理装置。
【請求項８】
更に、マニュアル指示を入力するための操作手段と、
前記検知手段で前記圧板が開いていることを検知してから所定時間経過しても前記操作手段からの指示がない場合に報知する報知手段とを有することを特徴とする請求項７に記載の画像処理装置。
【請求項９】
原稿の画像を読み取る読取手段と、
画像を表すデータを受信する受信手段と、
前記読取手段で読み取った画像及び前記受信手段でデータに基づく画像の記録を行う記録手段と、
原稿の有無を検出する検出手段と、
前記検出手段で、原稿が有ることを検出した場合、前記受信手段で受信したデータに基づく画像の前記記録手段による記録を禁止するよう制御する制御手段とを有することを特徴とする画像処理装置。
【請求項１０】
更に、積載された原稿を前記読取手段の読取位置へ給送する原稿給送装置とを有し、
前記検出手段は、前記原稿給送装置に原稿が積載されているか否かにより原稿の有無を検出することを特徴とする請求項９に記載の画像処理装置。
【請求項１１】
前記検出手段は、前記読取手段で読み取られるべき原稿を載置する原稿台上の原稿の有無を検出することを特徴とする請求項９に記載の画像処理装置。
【請求項１２】
更に、前記検出手段で前記読取手段により読み取った後の原稿が有ることを検出した場合に報知する報知手段を有することを特徴とする請求項９乃至１１のいずれかに記載の画像処理装置。
【発明の詳細な説明】
【０００１】
【発明の属する技術分野】
本発明は画像の処理を行う画像処理装置に関し、特に、読み取った画像に基づく画像の記録及び受信したデータに基づく画像の記録を行うことができる画像処理装置に関する。
【０００２】
【従来の技術】
近年、ディジタル複写機にファクシミリ通信機能を付加したものがよく知られている。このような装置はスキャナ及びプリンタを共有しコピーは機能による処理を行うためのコピーモードとファクシミリ機能による処理を行うためのファクシミリモードとを有している。そしてこのコピーモードとファクシミリモードとを適宜切り替えることによりそれぞれの処理を行う。
【０００３】
例えばイニシャルモード（電源投入時及び所定時間放置された時に復帰するモード）としてコピーモードを設定しておいた場合、通常はコピーモードで待機し、ファクシミリの受信があると自動的にファクシミリモードに切り替わり、受信した画像データのプリントアウトを開始する。このとき、コピーモードにより動作中であればファクシミリモードへは切り替えず、受信した画像データはメモリに蓄積しておき、コピーモードの動作終了後にファクシミリモードへ切り替えてメモリ内の受信データを読み出しプリントアウトする。またファクシミリ送信を行う場合はキー操作によりファクシミリモードに切り替えてから送信のための操作を行う。
【０００４】
【発明が解決しようとする課題】
しかしながら、従来では、コピーモードにより動作中でないときにファクシミリの受信があるとファクシミリモードに切り替えて受信データのプリントアウトを開始してしまっていた。つまり、例えば原稿をセットしてこれからコピーを行おうとしていたときや原稿を交換しているときには装置は動作していないので受信データのプリントアウトを開始し、コピーを行おうとしていたオペレータを待たせることになってしまっていた。
【０００５】
本発明は上述の問題点に鑑みてなされたもので、処理の競合に容易に対処し得る画像処理装置を提供することを目的とする。
【０００６】
【課題を解決するための手段】
上記目的を達成するために本発明の画像処理装置は以下の構成からなる。即ち、原稿台上に載置された原稿を押圧する圧板と、前記原稿台上の原稿の画像を読み取る読取手段と、画像を表すデータを受信する受信手段と、前記読取手段で読み取った画像及び前記受信手段で受信したデータに基づく画像の記録を行う記録手段と、前記圧板の開閉を検知する検知手段と、前記読取手段で読み取った画像に基づく画像を前記記録手段により記録する第１のモードと前記受信手段で受信したデータに基づく画像を前記記録手段により記録する第２のモードとを切り替える切替手段とを有し、前記切替手段は前記第１のモードが設定されているときに前記受信手段によりデータを受信した場合、前記検知手段で前記圧板が閉じられたことを検知してから所定時間経過していれば前記第２のモードに切り替えることを特徴とする。
【０００７】
また、原稿の画像を読み取る読取手段と、画像を表すデータを受信する受信手段と、前記読取手段で読み取った画像及び前記受信手段で受信したデータに基づく画像の記録を行う記録手段と、前記読取手段で読み取った画像に基づく画像を前記記録手段により記録する第１のモードと前記受信手段で受信したデータに基づく画像を前記記録手段により記録する第２のモードとを切り替える切替手段と、前記第１のモードが設定されているときに前記受信手段によりデータを受信した場合、前記記録手段により該データに基づく画像の記録を行ってもよいかどうかをオペレータに問い合わせる確認手段とを有し、前記切替手段は、前記確認手段による問い合わせに対し、許可を示す指示があった場合に前記第２のモードに切り替えることを特徴とする。
【０００８】
また、原稿台上に載置された原稿を押圧する圧板と、前記原稿台上の原稿の画像を読み取る読取手段と、画像を表すデータを受信する受信手段と、前記読取手段で読み取った画像及び前記受信手段で受信したデータに基づく画像の記録を行う記録手段と、前記圧板の開閉を検知する検知手段と、前記検知手段で前記圧板が開いていることを検知している場合、前記受信手段で受信したデータに基づく画像の前記記録手段による記録を禁止するよう制御する制御手段とを有することを特徴とする。
【０００９】
また、原稿の画像を読み取る読取手段と、画像を表すデータを受信する受信手段と、前記読取手段で読み取った画像及び前記受信手段でデータに基づく画像の記録を行う記録手段と、原稿の有無を検出する検出手段と、前記検出手段で、原稿が有ることを検出した場合、前記受信手段で受信したデータに基づく画像の前記記録手段による記録を禁止するよう制御する制御手段とを有することを特徴とする。
【００１０】
【発明の実施の形態】
以下、図面を参照して本発明の実施の形態の一例を詳細に説明する。
【００１１】
（第１の実施形態）
図１は本発明の実施形態例の画像処理装置の構成を示すブロック図である。
【００１２】
リーダ部１は原稿の画像を読み取り、原稿画像に応じた画像データをプリンタ部２及び画像入出力制御部３へ出力する。
【００１３】
プリンタ部２はリーダ部１及び画像入出力制御部３からの画像データに応じた画像を記録紙上に記録する。
【００１４】
画像入出力制御部３はリーダ部１に接続されており、ファクシミリ部４、ファイル部５、コンピュータインターフェイス部７、フォーマッタ部８、イメージメモリ部９、コア部１０などからなる。
【００１５】
ファクシミリ部４は電話回線を介して受信した圧縮画像データを伸長して、伸長された画像データをコア部１０へ転送し、又、コア部１０から転送された画像データを圧縮して、圧縮された圧縮画像データを電話回線を介して送信する。ファクシミリ部４にはハードディスク１２が接続されており、受信した圧縮画像データを一時的に保存することができる。
【００１６】
ファイル部５には光磁気ディスクドライブユニット６が接続されており、ファイル部５はコア部１０から転送された画像データを圧縮し、その画像データを検索するためのキーワードとともに光磁気ディスクドライブユニット６にセットされた光磁気ディスクに記憶させる。又、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。
【００１７】
コンピュータインターフェイス部７は、パーソナルコンピュータ又はワークステーション（ＰＣ／ＷＳ）１１とコア部１０の間のインターフェイスである。
【００１８】
フォーマッタ部８はＰＣ／ＷＳ１１から転送された画像を表すコードデータをプリンタ部２で記録できる画像データに展開するものである。
【００１９】
イメージメモリ部９はコア部１０を介して転送されたデータを一時的に記憶するものである。
【００２０】
コア部１０については後述するが、コア部１０はリーダ部１、ファクシミリ部４、ファイル部５、コンピュータインターフェイス部７、フォーマッタ部８、イメージメモリ部９のそれぞれの間のデータの流れを制御するものである。
【００２１】
図２はリーダ部１及びプリンタ部２の断面図である。
【００２２】
リーダ部１の原稿給送装置１０１は原稿台上に載置された原稿を押圧する圧板１００と一体化されている。圧板１００及び原稿給送装置１０１を閉じ（以後、開閉動作は圧板１００のみいう）原稿給送装置１０１に原稿を積載し、読み取り指示がなされると原稿を最終頁から順に１枚ずつプラテンガラス１０２上の所定の読取位置まで給送し、原稿の画像の読み取り動作終了後、プラテンガラス１０２上の原稿を排出（元の位置まで循環させる）するものである。原稿画像の読取指示がなされると、ランプ１０３を点灯し、そしてスキャナユニット１０４の移動を開始させて、プラテンガラス１０２上の原稿を露光走査する。この時の原稿からの反射光は、ミラー１０５、１０６、１０７、及びレンズ１０８によってＣＣＤイメージセンサ（以下ＣＣＤという）１０９へ導かれる。このように走査された原稿の画像はＣＣＤ１０９によって読み取られる。ＣＣＤ１０９から出力される画像データは、所定の処理が施された後、プリンタ部２及び画像入出力制御部３のコア部１０へ転送される。
【００２３】
プリンタ部２のレーザドライバ２２１はレーザ発光部２０１を駆動するものであり、リーダ部１から出力された画像データに応じたレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４及びカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記録紙に定着される。定着部２０７を通過した記録紙は排出ローラ２０８によって排出され、ソータ２２０は排出された記録紙をそれぞれのビンに収納して記録紙の仕分けを行う。なお、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００２４】
図３はリーダ部１のブロック図である。
【００２５】
ＣＣＯ１０９から出力された画像データはＡ／Ｄ・ＳＨ部１１０でアナログ／デジタル変換が行われるとともに、シェーディング補正が行われる。Ａ／Ｄ・ＳＨ部１１０によって処理された画像データは画像処理部１１１を介してプリンタ部２へ転送されるとともに、インターフェイス部１１３を介して画像入出力制御部３のコア部１０へ転送される。
【００２６】
ＣＰＵ１１４は操作部１１５で設定された設定内容に応じて画像処理部１１１及びインターフェイス１１３を制御する。例えば、操作部１１５でトリミング処理を行って複写を行う処理が設定されている場合は、画像処理部１１１でトリミング処理を行わせてプリンタ部２へ転送させる。また、操作部１１５でファクシミリ送信処理が設定されている場合は、インターフェイス１１３から画像データと設定されたモードに応じた制御コマンドをコア部１０へ転送させる。このようなＣＰＵ１１４の制御プログラムはメモリ１１６に記憶されており、ＣＰＵ１１４はメモリ１１６を参照しながら制御を行う。また、メモリ１１６はＣＰＵ１１４の作業領域としても使われる。
【００２７】
また、ＣＰＵ１１４は圧板１００の開閉、原稿給送装置１０１に原稿が積載されているか否か、プラテンガラス１０２上に読み取り終わった原稿が残っているか否か（読み取り指示後の圧板の開閉に基づく）リーダ部１及びプリンタ部２の状態操作部１１５の状態等の検知及び計時等も行う。
【００２８】
図４はコア部１０のブロック図である。
【００２９】
リーダ部１からの画像データはデータ処理部１２１へ転送されるとともに、リーダ部１からの制御コマンドはＣＰＵ１２３へ転送される。
【００３０】
データ処理部１２１は画像の回転処理や変倍処理などの画像処理を行うものであり、リーダ部１からデータ処理部１２１へ転送された画像データは、リーダ部１から転送された制御コマンドに応じて、インターフェイス１２０を介してファクシミリ部４、ファイル部５、コンピュータインターフェイス部７へ転送される。
【００３１】
また、コンピュータインターフェイス７を介して入力された画像を表すコードデータは、データ処理部１２１に転送された後フォーマッタ部８へ転送されて画像データに展開され、この画像データはデータ処理部１２１に転送された後、ファクシミリ部４やプリンタ部２へ転送される。
【００３２】
ファクシミリ部４からの画像データは、データ処理部１２１へ転送された後、プリンタ部２やファイル部５、コンピュータインターフェイス部７へ転送される。
【００３３】
また、ファイル部５からの画像データは、データ処理部１２１へ転送された後、プリンタ部２やファクシミリ部４、コンピュータインターフェイス部７へ転送される。
【００３４】
ＣＰＵ１２３はメモリ１２４に記憶されている制御プログラム、及びリーダ部１から転送された制御コマンドに従ってこのような制御を行う。また、メモリ１２４はＣＰＵ１２３の作業領域としても使われる。
【００３５】
このように、コア部１０を中心に、原稿画像の読み取り、画像のプリント、画像の送受信、画像の保存、コンピュータからのデータの入出力などの機能を複合させた処理を行うことが可能である。
【００３６】
また、ＣＰＵ１１４、ＣＰＵ１２３は互いに通信を行い、必要な情報の交換を行う。
【００３７】
図５は操作部１１５の構成を示す概観図である。
【００３８】
５０１はタッチパネル部であり、装置の動作状態、各種メッセージの表示を行う。また、所望の箇所をタッチすることにより該当する情報をＣＰＵ１１４に伝え、各種処理を行なわせることができる。５０１１は各モード（上から順にコピーモード、ファクシミリモード、ファイルモード、プリンターモード）に切り替えるための切替キーである。ここで選択されたモードに応じた処理が実行可能であるが、ファクシミリの受信があった場合は、プリンタ部２によりプリントアウト可能であれば自動的にファクシミリモードに切り替わり、受信データのプリントアウトを開始する。また、イニシャルモードとして上記４つのモードのうちいずれかを設定可能であり、イニシャルモードとして設定されたモードは電源投入時及び装置が所定時間動作していないときに自動的に選択される。
【００３９】
５０２はテンキーであり、宛先入力や複写部数等のための数字を入力するキーである。
【００４０】
５０３はスタートキーであり、原稿画像の読取指示等、各動作の開始を指示するためのキーである。
【００４１】
５０４はリセットキーであり、このキーを押すことにより、諸設定をクリアし、デフォルトの状態にする。
【００４２】
５０５はストップキーであり、実行中の動作を停止させるためのキーである。
【００４３】
５０６は割り込みキーであり、実行中の動作を一時中断させ、他の処理を割り込ませる際に押下するキーである。
【００４４】
図６は、本実施形態例に係る画像処理装置の処理の流れを示すフローチャートである。このフローチャートはメモリ１１６に格納されたプログラムに基づきＣＰＵ１１４がＣＰＵ１２３と通信を行いながら行う制御の流れを示すものである。
【００４５】
電源が投入されると、Ｓ６０１で初期設定を行う。ここでは画像処理部１１１のハードウェア設定、操作部１１５のタッチパネル部５０１の表示の初期化、スキャナユニット１０４のホームポジションへのセット、定着部２０７の加熱の開始など、装置全体の初期化を行う（モードはコピーモードが設定される）。
【００４６】
そして、タッチパネル部５０１のモード切替キー５０１１によるモード選択情報に従い、Ｓ６０２〜６０４でそれぞれ分岐する。モード切替キー５０１１によりいずれのモードも選択されないと、Ｓ６０５、Ｓ６０６でコンピュータインターフェイス部７を介して外部のＰＣ／ＷＳ１１からのデータの入力、ファクシミリ部４が電話回線を介してファクシミリデータを受信したか判断し、それぞれに応じて分岐する。
【００４７】
また、Ｓ６０７では、リセットキー５０４のキー状態をチェックし、押されればＳ６０９に進み、表示内容、設定内容の初期化を行う。Ｓ６０８は所定時間（例えば３分間）操作部１１５からの入力がなく、また装置が動作していないか判断し、肯定判断であればオートクリア機能によりＳ６０９で初期化を行い、否定判断であればＳ６０２〜Ｓ６０７の処理を繰り返す。
【００４８】
なお、ここではイニシャルモードとしてコピーモードを設定しておき、またコピーモードによる処理を最も優先する場合について説明する。
【００４９】
図７〜図１０はコピーモードによる処理の流れを示すフローチャートである。
【００５０】
まず、Ｓ７０１ではコピーモード用に装置の設定内容、表示内容を初期化する。そして、Ｓ７０２では操作部１１５から拡大、縮小等の各種画像処理や片面、両面などのコピー条件に関する情報の入力を受け付ける。この入力は適宜行うことができる。この入力に応じ装置の設定を行う。
【００５１】
Ｓ７０３では圧板１００が開けられたか否か判断し、開けられればＳ７０４に進み、開けられなければＳ８０１に進む。
【００５２】
Ｓ７０４ではタイマーｔ１をスタートさせ、Ｓ７０５ではコピーモード以外によるプリンタ部２での画像のプリントアウトを禁止するよう設定する。
【００５３】
そして、Ｓ７０６では圧板１００が閉じられたか否か判断し、閉じられればＳ７０７に進み、閉じられなければＳ９０１に進む。
【００５４】
Ｓ７０７ではタイマーｔ２をスタートさせる。そして、Ｓ７０８ではスタートキー５０３が押下されたか判断し、押されていればＳ７０３〜Ｓ７０６の間にプラテンガラス１０２上に載置された原稿を走査し原稿の画像を読み取る。読み取った画像はＳ７０９でプリンタ部２により記録紙上に可視出力する。プリンタ部２による記録終了後タイマーｔ３をスタートさせる。
【００５５】
一方、Ｓ７０８でスタートキー５０３が押下されないとＳ７１２に進みタイマーｔ２が所定時間Ｂ（例えば１分）を経過したか判断し、経過していればＳ７１３に進み、コピーモード以外で禁止していたプリンタ部２によるプリントアウトを許可状態とする。
【００５６】
Ｓ８０１では原稿給送装置（ＤＦ）１０１に原稿が積載されているか否か判断し、積載されていればＳ８０２に進み、コピーモード以外によるプリンタ部２での画像のプリントアウトを禁止するよう設定し、積載されていなけれはＳ７０３に戻る。
【００５７】
Ｓ８０３では  スタートキー５０３の状態を監視し、押下されるとＳ８０４に進み原稿給送装置１０１に積載されている原稿を１枚ずつ所定の読取位置まで給送し、原稿の画像を読み取り、この読み取った画像をプリンタ部２で記録出力する（読み取った原稿は原稿給送装置１０１の元の位置に循環させる）。この複写処理を原稿給送装置１０１に積載した原稿全てについて行う。複写処理終了後タイマーｔ４をスタートさせる。
【００５８】
Ｓ８０６では再び原稿給送装置１０１に原稿が積載されているか否か判断する。ここで原稿がなければ読み取った原稿を取り去ったと判断しＳ８０９でコピーモード以外で禁止していたプリンタ部２によるプリントアウトを許可状態とする。また原稿があればＳ８０７に進み、タイマーｔ４が所定時間Ｄ（例えば１分）を経過したか判断し、経過していればＳ８０８に進み、タッチパネル部５０１にコピー終了後の原稿が残っていることを示す表示を行うとともにアラーム音を鳴らす。このＳ８０８の報知処理は所定回数、または所定時間行ったら初期状態（Ｓ６０１）に戻すようにしてもよい。
【００５９】
Ｓ９０１ではスタートキー５０３の状態を監視し、押下されるとＳ９０２に進み、プラテンガラス１０２上の原稿の画像を読み取り、この読み取った画像をプリンタ部２で記録出力する。プリンタ部２による記録終了後タイマーｔ５をスタートさせる。スタートキー５０３が押されないとＳ９０９でタイマーｔ１が所定時間Ａ（例えば１分）を経過したか判断し、経過していればＳ９１０に進み、圧板１００が開けられたまま放置されていることを示す表示をタッチパネル部５０１で行うとともにアラーム音を鳴らす。このＳ９１０の報知処理は所定回数、または所定時間行ったら初期状態（Ｓ６０１）に戻すようにしてもよい。
【００６０】
Ｓ９０５では圧板１００が閉じられたか判断し、閉じられればオペレータの複写作業が終了したものとみなしＳ９１１でコピーモード以外で禁止していたプリンタ部２によるプリントアウトを許可状態とする。閉じられない場合はＳ９０６でスタートキー５０３が、押下されたか判断し、押されればＳ９０２に戻り、更に複写処理を行う。スタートキーが押されないとＳ９０７でタイマーｔ５が所定時間Ｅ（例えば１分）を経過したか判断し、経過していればＳ９０８に進み、圧板１００が開けられたまま報知されていることを示す表示をタッチパネル部５０１で行うとともにアラーム音を鳴らす。このＳ９０８の報知処理は所定回数、または所定時間行ったら初期状態（Ｓ６０１）に戻すようにしてもよい。ｔ５が所定時間Ｅを経過するまではＳ９０５以降の処理を繰り返す。
【００６１】
Ｓ１００１では再び圧板１００が開けられたか判断する。開けられればＳ７０４以降の処理を再び行い、開けられなければＳ１００２に進みタイマーｔ３が所定時間Ｃ（例えば１分）を経過したか判断する。ｔ３が所定時間Ｃを経過していれば複写終了した原稿がプラテンガラス１０２上に残されていると判断し、その旨を示す表示をタッチパネル部５０１で行うとともにアラーム音を鳴らす。このＳ１００３の報知処理は所定回数、または所定時間行ったら初期状態（Ｓ６０１）に戻すようにしてもよい。また、Ｓ１００２でｔ３が所定時間Ｃを経過していないと判断した場合はＳ１００４でスタートキー５０３が押下されたか判断し、押下されれはＳ７０９に戻り、押下されなければＳ１００１以降の処理を繰り返す。なお、圧板１００が開いているときは常に閉じるよう促す表示をする。
【００６２】
図１１はファクシミリモードが選択され、ファクシミリ送信を行う場合の処理の流れを示すフローチャートである。
【００６３】
まず、Ｓ１１０１ではファクシミリモード用に装置の設定内容、表示内容を初期化する。そしてＳ１１０２では操作部１１５から送信先の電話番号、各種画像処理、解像度などファクシミリ送信条件に関する情報の入力を受け付け設定する。
【００６４】
Ｓ１１０３ではスタートキー５０３の状態を監視し、押下されればＳ１１０４に進み、プラテンガラス１０２上の原稿を走査し原稿の画像を読み取る。そしてＳ１１０５では読み取った画像に基づくデータをＳ１１０２で設定した内容に基づき相手先に送信する。スタートキー５０３が押されなかったと判断すると図６のフローに戻る。
【００６５】
図１２はファイルモードが選択された場合の処理の流れを示すフローチャートである。
【００６６】
まずＳ１２０１ではファイルモード用に装置の設定内容、表紙内容を初期化する。次に、Ｓ１２０２で操作部１１５から格納モードか検索モードのいずれが選択されたか判断し、格納モードであればＳ１２０３へ進み、検索モードであればＳ１２０７に進む。
【００６７】
Ｓ１２０３では操作部１１５よりファイル格納条件に関する情報の入力を受け付け、設定する。次にＳ１２０４でスタートキー５０３の状態を監視し、押下されればＳ１２０５に進みプラテンガラス１０２上の原稿を走査し原稿の画像を読み取る。そしてＳ１２０６では読み取った画像に基づくデータをＳ１２０３で設定した内容に基づき光磁気ディスクドライブユニットに装着された光磁気ディスクにファイルとして格納する。Ｓ１２０４でスタートキー５０３が押されない場合及び画像データを光磁気ディスクに格納し終った場合は図６のフローに戻る。
【００６８】
Ｓ１２０７では操作部１１５よりファイル検索条件に関する情報の入力を受け付け、設定する。次にＳ１２０８では設定されたファイル検索条件に従い、光磁気ディスクドライブユニットに装着された光磁気ディスク内のファイルを検索し読み出す。Ｓ１２０９ではプリンタ部２がファイルモードで使用禁止となっているか判断し、使用禁止であれば読み出したデータをイメージメモリ部９に格納する。使用禁止でなければＳ１２１２で他の処理による操作部１１５からの入力及び装置の動作が所定時間ないことを確認してプリンタ部２により光磁気ディスクまたはイメージメモリ部９（Ｓ１２１１で格納したデータ）から読み出した該当ファイルの画像をＳ１２１０て記録出力する。Ｓ１２１０で画像の記録中は他の処理のためのプリンタ部２の使用は禁止する。記録終了後図６のフローに戻る。
【００６９】
図１３はコンピュータインターフェイス部７を介して外部のＰＣ／ＷＳ１１からのデータの入力があった場合の処理の流れを示すフローチャートである。
【００７０】
まず、Ｓ１３０１ではＰＣ／ＷＳ１１から送られてきたコマンド（画像を表すデータを含む）を受け取る。次にＳ１３０２では受け取ったデータを解釈し、コードデータはフォーマッタ部８でビットマップ化された画像データに展開する。
【００７１】
Ｓ１３０３ではプリンタモードが選択されているか判断し、プリンタモードであればＳ１３０７に進み、それ以外のモードであればＳ１３０４に進む。Ｓ１３０４ではプリンタ部２がプリンタモードで使用禁止となっているか判断し、使用禁止であればＳ１３０７に進みＰＣ／ＷＳ１１から受け取ったデータに基づく画像データをイメージメモリ部９に格納し、使用禁止でなければＳ１３０５に進む。Ｓ１３０５ではモードをプリンタモードに切り替える。
【００７２】
Ｓ１３０６ではＰＣ／ＷＳ１１から受け取ったデータに基づく画像（Ｓ１３０７でイメージメモリ部９に格納したものも含む）をプリンタ部２で記録出力する。Ｓ１３０６で画像の記録中は他の処理のためのプリンタ部２の使用は禁止する。記録終了後図６のフローに戻る。
【００７３】
図１４はファクシミリ部４が電話回線を介してファクシミリデータを受信した場合の処理の流れを示すフローチャートである。
【００７４】
Ｓ１４０１では電話回線を介して相手先からのデータを受信し、ファクシミリ部４で復号化して画像データに展開する。
【００７５】
Ｓ１４０２ではファクシミリモードが選択されているか判断し、ファクシミリモードであればＳ１４０５に進み、それ以外のモードであればＳ１４０３に進む。Ｓ１４０３ではプリンタ部２がファクシミリモードで使用禁止となっているか判断し、使用禁止であればＳ１４０６に進み、受信データをハードディスク１２に格納し、使用禁止でなければＳ１４０４に進む。Ｓ１４０４では受信データのプリントアウトを行うべくモードをファクシミリモードに切り替える。
【００７６】
Ｓ１４０５では受信したデータに基づく画像（Ｓ１４０６でハードディスク１２に格納したものも含む）をプリンタ部２で記録出力する。Ｓ１４０５で画像の記録中は他の処理のためのプリンタ部２の使用は禁止する。記録終了後図６のフローに戻る。
【００７７】
本実施形態においてＳ６０８、７１２、８０７、９０７、９０９、１００２、１２１２での所定時間は、予め定められた共通の設定値が用いられている。操作性をさらに向上するため、ユーザーが操作部１１５からのキー入力により所望する時間を設定できるようにしても良い。また、各機能毎に独立に設定できるようにしても良い。また、リセット・キーや、「＊」キーなど所定のキーによる操作で、所定時間をチェックするステップをスルーにして、すぐに印刷できるモードを設ければ、さらにプリンタ部２を効率的に使用できる。また、プリンタ部２が使用されている場合、どの機能が使用しているかタッチパネル部５０１に表示しても良い。
【００７８】
また、本実施形態例では、Ｓ６０８、１２１２において操作部１１５の全てのキーが所定時間、操作されていない事を条件としたが、一部のキーまたは所定の機能に関する操作がされていない事を条件としても良い。また、本実施形態では、操作部１１５の最後のキー入力の時間を基準にしたが、両面コピーなど、機能によっては操作部１１５の最後のキー操作から印刷終了まで時間がかかるため、用紙が排出部を通過した時間など、他の時間を基準として用いても良い。
【００７９】
本実施形態によれば、コピー、メモリ内の画像を読み出し印刷など、本体を直接操作している最中に、ファクシミリ受信など他の機能によってプリンター部が使用される事がなく、ユーザーの作業が中断されたり、出力用紙の取り間違いなどの問題が発生せず、快適な操作性を得ることができる。
【００８０】
（第２の実施形態）
以下に述べる第２の実施形態ではより簡単な制御によりオペレータが複写作業の途中（原稿の交換も含む）かどうかを判定し、受信データのプリントアウトの許可、禁止を設定するものである。ここではファクシミリデータの受信を行った場合について述べる。
【００８１】
図１５はこの場合（相手先からのファクシミリデータを受信した場合）の処理の流れを示すフローチャートである。
【００８２】
Ｓ１５０１では電話回線を介して相手先からのデータを受信する。受信したデータは順次ハードディスク１２に格納する。なお、このときタッチパネル部５０１に受信中であることを表示する。
【００８３】
Ｓ１５０２で受信が完了したと判断するとＳ１５０３に進みファクシミリモードが選択されているか否か判断する。ファクシミリモードが選択されているとＳ１５１１に進み選択されていないとＳ１５０４に進む。
【００８４】
Ｓ１５０４ではアラームを鳴らすとともにタッチパネル部５０１に「ファクシミリ受信しました。プリントアウトを開始してもよいですか」等のオペレータに確認するための表示を行う。これと同時に「はい」「いいえ」の表示を行い、このいずれかをタッチすることによりオペレータの意志が伝達される。Ｓ１５０６では上述の「はい」「いいえ」のいずれかがタッチされたかを識別し、「はい」であればオペレータが受信データのプリントアウトを許可したと判断しＳ１５０７に進む。「いいえ」であれば、オペレータが受信データのプリントアウトを拒否したと判断しＳ１５１１に進む。
【００８５】
Ｓ１５０５ではＳ１５０４で表示を行ってから所定時間（例えば３０秒）を経過したか判断し、所定時間内にＳ１５０６の応答（許可、拒否）がなければオペレータが該装置を用いて作業中ではないとし、Ｓ１５０７に進む。
【００８６】
Ｓ１５１１ではＳ１５０６でタッチパネル部５０１の「いいえ」の部分にタッチされてから所定時間（例えば３分）を経過したか判断する。経過するとＳ１５０４に戻り、再び受信データのプリントアウトを行ってもよいか確認する表示を行う。なお、Ｓ１５０６で「いいえ」にタッチされると受信データをプリンタ部２でプリントアウトすることを禁止するように設定される。
【００８７】
Ｓ１５０７ではプリンタ部２が他のデータのプリントアウトのために動作中（プリントアウト中）であるか判断し、Ｓ１５０８でプリントアウト終了と判断するとＳ１５０９に進みモードをファクシミリモードに切り替える。そしてＳ１５１０に進む。
【００８８】
Ｓ１５０３でファクシミリモードが選択されている場合はＳ１５１２に進みＳ１５０７と同様にプリンタ部２が他のデータのプリントアウトのために動作中であるか判断し、Ｓ１５１３でプリントアウトの終了と判断するとＳ１５１０に進む。
【００８９】
Ｓ１５１０では受信したデータをハードディスク１２から読み出し、可視画像としてプリンタ部２でプリントアウトする。プリントアウトが終了するとハードディスク１２内の画像を消去し待機状態に戻る。
【００９０】
以上述べた様に本実施形態によれば、コピー等、オペレータが装置の前で作業しているか否かを適確に判別し、この作業が中断されてしまうことを防止することができる。また、オペレータが作業中でなければ受信テータをプリントアウトしハードディスクから消去するのでメモリフルも防止できる。
【００９１】
なお、図６〜図１５はＣＰＵ１１４がメモリ１１６に格納されたプログラムに基づき制御する際の処理の流れであるが、このプログラムを示すデータをフロッピーディスク等の着脱可能なメモリに格納し、このデータを解読可能な他の装置に適用することもできる。
【００９２】
また、ＣＰＵ１１４はＣＰＵ１２３（メモリ１２４に格納されたプログラムに基づき制御する）と通信することにより装置全体を制御するが１つのＣＰＵでも制御可能であることは言うまでもない。
【００９３】
【発明の効果】
以上説明したように本発明によれば、複数の処理の競合に容易に対処できるので、例えば作業中のオペレータを待たせるなどの不都合を解消できる。
【図面の簡単な説明】
【図１】本発明の実施形態にかかる画像処理装置の概略構成を示すブロック図である。
【図２】リーダ部１及びプリンタ部２の断面図である。
【図３】リーダ部１の構成を示すブロック図である。
【図４】コア部１０の構成を示すブロック図である。
【図５】操作部１１５の構成を示す図である。
【図６】実施形態に係る処理の流れを示すフローチャートである。
【図７】実施形態に係る処理の流れを示すフローチャートである。
【図８】実施形態に係る処理の流れを示すフローチャートである。
【図９】実施形態に係る処理の流れを示すフローチャートである。
【図１０】実施形態に係る処理の流れを示すフローチャートである。
【図１１】実施形態に係る処理の流れを示すフローチャートである。
【図１２】実施形態に係る処理の流れを示すフローチャートである。
【図１３】実施形態に係る処理の流れを示すフローチャートである。
【図１４】実施形態に係る処理の流れを示すフローチャートである。
【図１５】実施形態に係る処理の流れを示すフローチャートである。
【符号の説明】
１  リーダ部
２  プリンタ部
３  画像入出力制御部
４  ファクシミリ部
５  ファイル部
６  光磁気ディスクドライブユニット
７  コンピュータインターフェイス部
８  フォーマッタ部
９  イメージメモリ部
１０  コア部
１１  ＰＣ／ＷＳ
１２  ハードディスク
【図１】
0003604798.tif 000002
【図２】
0003604798.tif 000003
【図３】
0003604798.tif 000004
【図４】
0003604798.tif 000005
【図５】
0003604798.tif 000006
【図６】
0003604798.tif 000007
【図７】
0003604798.tif 000008
【図８】
0003604798.tif 000009
【図９】
0003604798.tif 000010
【図１０】
0003604798.tif 000011
【図１１】
0003604798.tif 000012
【図１２】
0003604798.tif 000013
【図１３】
0003604798.tif 000014
【図１４】
0003604798.tif 000015
【図１５】
0003604798.tif 000016